(57)【特許請求の範囲】
【請求項１】
間仕切り壁の上端部に上方に開口する凹所が設けられると共に、該凹所は上端側において側方に開口し、該凹所内に光源が設けられると共に、凹所の上方に第１反射部が備えられ、かつ、第２反射部が天井側に埋込み状態に設けられ、第１反射部で反射した光源からの光が第２反射部で反射して直接及び／又は間接的に前記間仕切り壁の壁面を照らすようになされていることを特徴とする擬似コーニス照明構造。
【請求項２】
前記第１反射部の反射面が斜め上方を向き、第１反射部で反射した光源からの光が第２反射部で反射して天井側を介して間接的に壁面を照らすようになされている請求項１に記載の擬似コーニス照明構造。
【発明の詳細な説明】
【技術分野】
【０００１】
本発明は、擬似コーニス照明構造に関する。
【背景技術】
【０００２】
天井側に埋込み状態に備えられた光源からの光で壁面を照らすコーニス照明は従来より知られている。
【特許文献１】特表２００４−５０７１９６号公報
【発明の開示】
【発明が解決しようとする課題】
【０００３】
しかしながら、コーニス照明は、光源を天井側に埋込み状態にするものであるため、天井裏空間部を利用して光源を設置する空間部を確保する必要があるが、天井裏の梁がその妨げとなってそれができない場合がある。
【０００４】
そこで、天井高を落とすという方法も考えられるが、その方法では、コーニス照明のために天井全体又は天井の多くを落とすことになり、コストが高くついてしまう。
【０００５】
本発明は、上記のような問題点に鑑み、天井裏の梁が光源設置の妨げにならず、しかも、天井高を落とす必要もなく、それでいて、コーニス照明と同等の間接照明作用を奏することができる擬似コーニス照明構造を提供することを課題とする。
【課題を解決するための手段】
【０００６】
上記の課題は、間仕切り壁の上端部に上方に開口する凹所が設けられると共に、該凹所は上端側において側方に開口し、該凹所内に光源が設けられると共に、凹所の上方に第１反射部が備えられ、かつ、第２反射部が天井側に埋込み状態に設けられ、第１反射部で反射した光源からの光が第２反射部で反射して直接及び／又は間接的に前記間仕切り壁の壁面を照らすようになされていることを特徴とする擬似コーニス照明構造によって解決される。
【０００７】
この構造では、間仕切り壁の上端部に凹所が設けられ、該凹所内に光源が設けられた構造となっているので、光源設置に必要なスペース確保のための天井裏への突出をなくす、あるいは、小さくすることができて、天井裏の梁が光源設置の妨げになるのを防ぐことができ、しかも、光源設置のために天井高を落とす必要もない。
【０００８】
そして、間仕切り壁上端部の凹所内に設けられた光源の光は、第１反射部で反射し、その反射光が第２反射部で反射して直接及び／又は間接的に間仕切り壁の壁面を照らすようになされているので、コーニス照明と同等の間接照明作用を奏することができる。
【０００９】
また、第２反射部は、コーニス照明に必要な反射機能を備えていればよく、上下方向の寸法は小さく抑えることができるので、第２反射部の設置のための天井裏への突出もなくす、あるいは、小さくすることができて、天井裏の梁が第２反射部設置の妨げになることもないし、第２反射部設置のために天井高を落とす必要もない。
【００１０】
上記の構造において、第１反射部の反射面が斜め上方を向き、第１反射部で反射した光源からの光が第２反射部で反射して天井側を介して間接的に壁面を照らすようになされている場合は、第２反射部で反射した光が直接室内側に放散されてしまうのを防いで、コーニス照明と同等の、より質の高い間接照明作用を奏することができる。
【発明の効果】
【００１１】
本発明の擬似コーニス照明構造は、以上のとおりのものであるから、天井裏の梁が光源設置の妨げにならず、しかも、天井高を落とす必要もなく、それでいて、コーニス照明と同等の間接照明作用を奏することができる。
【発明を実施するための最良の形態】
【００１２】
次に、本発明の実施最良形態を図面に基づいて説明する。
【００１３】
図１に示す実施形態の擬似コーニス照明構造において、１は間仕切り壁、２は天井ボードであり、間仕切り壁１は、その上端部に、上方に開口する凹所３が設けられると共に、該凹所３は上端側において側方に開口し、該凹所３内に光源４が設けられている。
【００１４】
そして、凹所３の上方に第１反射部５が設けられ、更に、第２反射部６が、天井ボード２の厚さ寸法範囲内、例えば、２２ｍｍ程度の厚さ寸法範囲内で、天井側に天井裏空間部に突出することなく埋込み状態に設けられている。
【００１５】
第１反射部５は、凹所３内の光源４から上方に放射する光の向きを第２反射部６側に変更するもので、反射面は４５°前後傾斜して斜め下方に向けられている。これをうまい具合に実現するため、凹所３内の側面部及び底面部には、無反射シート７を取り付けるなどして光を反射しない面に形成しておくとよい。
【００１６】
また、第２反射部６は、第１反射部５で反射した光を反射して間仕切り壁１の壁面を照らすもので、本実施形態では、その反射面が、反射光を天井側を介して間接的に壁面１ａを照らすように、斜め上方に円弧状に傾斜しており、天井側での反射のため、天井ボード２の上面高さ位置において水平な幕板８が設けられている。
【００１７】
更に、本実施形態では、図１（ロ）に示すように、凹所用の枠部、光源４、第１，第２の反射部５，６及び幕板部８等が一つのユニット１０に一体化されている。
【００１８】
上記の擬似コーニス照明構造では、図１（ハ）に示すように、間仕切り壁１の上端部の凹所３内に設けられた光源４の光が第１反射部５で反射し、その光が第２反射部６で反射し、該反射光が、天井側の幕板部８で反射して間接的に間仕切り壁１の壁面１ａを照らすようになされているので、第２反射部６で反射した直接光が直接室内１１側に放散されるのもうまい具合に防がれて、コーニス照明と同等の質の高い間接照明作用を奏することができる。
【００１９】
そして、間仕切り壁１の上端部に凹所３が設けられ、該凹所３内に光源４が設けられた構造となっているので、光源設置に必要なスペース確保のための天井裏への突出をなくすことができて、天井裏の梁が光源４の設置の妨げになるのを防ぐことができ、しかも、光源４の設置のために天井高を落とす必要もない。
【００２０】
また、第２反射部６は、コーニス照明に必要な反射機能を備えていればよく、上下方向の寸法は小さく抑えることができるので、第２反射部６の設置のための天井裏への突出もなく、天井裏の梁が第２反射部６の設置の妨げになることもないし、第２反射部６の設置のために天井高を落とす必要もない。
【００２１】
更に、本実施形態では、凹所用の枠部９、光源４、第１，第２の反射部５，６及び幕板部８が一つのユニット１０にされているので、このユニット１０を用いることで、擬似コーニス照明構造を施工容易に形成することができる。
【００２２】
以上に、本発明の実施形態を示したが、本発明はこれに限られるものではなく、発明思想を逸脱しない範囲で各種の変更が可能である。例えば、上記の実施形態では、間仕切り壁が室１１と室１２とを仕切る壁からなっている場合を示したが、室と屋外とを仕切る間仕切り壁であってもよい。
【００２３】
また、上記の実施形態では、第２反射部６で反射した光が天井側の幕板部で反射して間接的に壁面１ａを照らすようになされているが、壁面１ａが第２反射部で反射した光で直接照らされるように構成されていてもよい。
【００２４】
更に、上記の実施形態では、天井裏空間部への擬似コーニス照明構造部の突出をなくすように構成した場合を示しているが、他との取り合い関係で天井裏空間部へのある程度の突出が許容される場合には、その範囲内で天井裏に突出していてもよい。
【図面の簡単な説明】
【００２５】
【図１】実施形態の擬似コーニス照明構造を示すもので、図（イ）は断面側面図、図（ロ）は擬似コーニス照明ユニットの側面図、図（ハ）は照明の作動状態を説明するための断面側面図である。
【符号の説明】
【００２６】
１…間仕切り壁
１ａ…壁面
２…天井ボード
３…凹所
４…光源
５…第１反射部
６…第２反射部
【図１】
0004624957.tif 000002